(57)【特許請求の範囲】
【請求項１】
ネットワーク接続された複数の無線基地局と、各基地局に収容された複数の無線端末と、で構成される無線通信システムにおいて、
前記無線基地局が、
ブロック単位にシーケンス番号が付加されたマルチキャストデータを、または、前記マルチキャストデータに優先して再送データを、データ用ダウンリンク共通チャネル上にマッピングする第１のダウンリンク送信制御手段と、
制御用アップリンク共通チャネル上の「データ再送要求情報」を解析し、当該情報に含まれたシーケンス番号に対応するデータの再送を要求するアップリンク受信制御手段と、
前記「データ再送要求情報」を制御用ダウンリンク共通チャネル上にマッピングする第２のダウンリンク送信制御手段と、
を備え、
前記無線端末が、
前記データ用ダウンリンク共通チャネル上のデータからシーケンス番号を検出し、上位プロトコルに対してシーケンス番号順に組み立て後のデータを転送する第１のダウンリンク受信制御手段と、
前記制御用ダウンリンク共通チャネル上の「データ再送要求情報」を抽出し、当該情報に含まれるシーケンス番号を検出する第２のダウンリンク受信制御手段と、
前記データから検出されたシーケンス番号、または、当該シーケンス番号および前記「データ再送要求情報」に含まれるシーケンス番号、に基づいて、欠落受信データの再送を要求する再送要求手段と、
前記再送要求に基づいて生成した「データ再送要求情報」を前記制御用アップリンク共通チャネルにマッピングするアップリンク送信制御手段と、
を備えることを特徴とする無線通信システム。
【請求項２】
前記再送要求手段は、
前記データ用ダウンリンク共通チャネル上のデータに欠落があった場合、前記制御用ダウンリンク共通チャネル上に「データ再送要求情報」が送信されているかどうかを確認し、
「データ再送要求情報」がない場合に、前記データから検出されたシーケンス番号に基づいて新たな「データ再送要求情報」を生成し、
「データ再送要求情報」がある場合、前記データから検出されたすべてのシーケンス番号が、当該情報に含まれているかどうかを確認し、含まれていれば、新たな「データ再送要求情報」を生成せず、含まれていなければ、当該情報に含まれているシーケンス番号を除外した新たな「データ再送要求情報」を生成することを特徴とする請求項１に記載の無線通信システム。
【請求項３】
前記複数の無線端末を所定数のグループにわけた場合、
前記無線端末は、さらに、自身が属するグループ番号を算出し、前記制御用アップリンク共通チャネルのフレーム番号および前記グループ番号に基づいて、再送を要求するかどうかを判定する再送判定手段、
を備え、
前記再送要求手段では、前記再送判定手段が再送を許可した場合に、前記制御用ダウンリンク共通チャネル上に「データ再送要求情報」が送信されているかどうかを確認することを特徴とする請求項２に記載の無線通信システム。
【請求項４】
前記第１のダウンリンク受信制御手段は、
前記データ用ダウンリンク共通チャネル上におけるマルチキャストデータのブロック誤り率を一定時間間隔で計測し、その後、予め指示された所定のブロック誤り率と、前記計測したブロック誤り率と、を比較し、
前記計測したブロック誤り率の方が高い場合に、そのデータに対応するシーケンス番号を前記再送要求手段に対して出力することを特徴とする請求項１、２または３に記載の無線通信システム。
【請求項５】
複数の無線端末を収容する無線基地局において、
ブロック単位にシーケンス番号が付加されたマルチキャストデータを、または、前記マルチキャストデータに優先して再送データを、データ用ダウンリンク共通チャネル上にマッピングする第１のダウンリンク送信制御手段と、
制御用アップリンク共通チャネル上の「データ再送要求情報」を解析し、当該情報に含まれたシーケンス番号に対応するデータの再送を要求するアップリンク受信制御手段と、
前記「データ再送要求情報」を制御用ダウンリンク共通チャネル上にマッピングする第２のダウンリンク送信制御手段と、
を備えることを特徴とする無線基地局。
【請求項６】
無線基地局に収容された無線端末において、
データ用ダウンリンク共通チャネル上のマルチキャストデータにブロック単位に付加されたシーケンス番号を検出し、上位プロトコルに対してシーケンス番号順に組み立て後のデータを転送する第１のダウンリンク受信制御手段と、
制御用ダウンリンク共通チャネル上の「データ再送要求情報」を抽出し、当該情報に含まれるシーケンス番号を検出する第２のダウンリンク受信制御手段と、前記マルチキャストデータから検出されたシーケンス番号、または、当該シーケンス番号および前記「データ再送要求情報」に含まれるシーケンス番号、に基づいて、欠落受信データの再送を要求する再送要求手段と、
前記再送要求に基づいて生成した「データ再送要求情報」を制御用アップリンク共通チャネルにマッピングするアップリンク送信制御手段と、
を備えることを特徴とする無線端末。
【請求項７】
前記再送要求手段は、
前記データ用ダウンリンク共通チャネル上のデータに欠落があった場合、前記制御用ダウンリンク共通チャネル上に「データ再送要求情報」が送信されているかどうかを確認し、
「データ再送要求情報」がない場合に、前記データから検出されたシーケンス番号に基づいて新たな「データ再送要求情報」を生成し、
「データ再送要求情報」がある場合、前記データから検出されたすべてのシーケンス番号が、当該情報に含まれているかどうかを確認し、含まれていれば、新たな「データ再送要求情報」を生成せず、含まれていなければ、当該情報に含まれているシーケンス番号を除外した新たな「データ再送要求情報」を生成することを特徴とする請求項６に記載の無線端末。
【請求項８】
さらに、複数の無線端末が所定数のグループにわけられた場合に、自身が属するグループ番号を算出し、前記制御用アップリンク共通チャネルのフレーム番号および前記グループ番号に基づいて、再送を要求するかどうかを判定する再送判定手段、
を備え、
前記再送要求手段では、前記再送判定手段が再送を許可した場合に、前記制御用ダウンリンク共通チャネル上に「データ再送要求情報」が送信されているかどうかを確認することを特徴とする請求項７に記載の無線端末。
【請求項９】
前記第１のダウンリンク受信制御手段は、
前記データ用ダウンリンク共通チャネル上におけるマルチキャストデータのブロック誤り率を一定時間間隔で計測し、その後、予め指示された所定のブロック誤り率と、前記計測したブロック誤り率と、を比較し、
前記計測したブロック誤り率の方が高い場合に、そのデータに対応するシーケンス番号を前記再送要求手段に対して出力することを特徴とする請求項６、７または８に記載の無線端末。
【請求項１０】
ネットワーク接続された複数の無線基地局および各基地局に収容された複数の無線端末による無線マルチキャスト通信制御方法において、前記無線基地局が、ブロック単位にシーケンス番号が付加されたマルチキャストデータを、または、前記マルチキャストデータに優先して再送データを、データ用ダウンリンク共通チャネル上にマッピングする第１のダウンリンク送信制御ステップと、
制御用アップリンク共通チャネル上の「データ再送要求情報」を解析し、当該情報に含まれたシーケンス番号に対応するデータの再送を要求するアップリンク受信制御ステップと、
前記「データ再送要求情報」を制御用ダウンリンク共通チャネル上にマッピングする第２のダウンリンク送信制御ステップと、
前記無線端末が、前記データ用ダウンリンク共通チャネル上のデータからシーケンス番号を検出し、上位プロトコルに対してシーケンス番号順に組み立て後のデータを転送する第１のダウンリンク受信制御ステップと、
前記制御用ダウンリンク共通チャネル上の「データ再送要求情報」を抽出し、当該情報に含まれるシーケンス番号を検出する第２のダウンリンク受信制御ステップと、
前記データから検出されたシーケンス番号、または、当該シーケンス番号および前記「データ再送要求情報」に含まれるシーケンス番号、に基づいて、欠落受信データの再送を要求する再送要求ステップと、
前記再送要求に基づいて生成した「データ再送要求情報」を前記制御用アップリンク共通チャネルにマッピングするアップリンク送信制御ステップと、
を含むことを特徴とする無線マルチキャスト通信制御方法。
【請求項１１】
前記再送要求ステップにあっては、
前記データ用ダウンリンク共通チャネル上のデータに欠落があった場合、前記制御用ダウンリンク共通チャネル上に「データ再送要求情報」が送信されているかどうかを確認する確認ステップと、
「データ再送要求情報」がない場合に、前記データから検出されたシーケンス番号に基づいて新たな「データ再送要求情報」を生成する第１の情報生成ステップと、
「データ再送要求情報」がある場合、前記データから検出されたすべてのシーケンス番号が、当該情報に含まれているかどうかを確認し、含まれていれば、新たな「データ再送要求情報」を生成せず、含まれていなければ、当該情報に含まれているシーケンス番号を除外した新たな「データ再送要求情報」を生成する第２の情報生成ステップと、
を含むことを特徴とする請求項１０に記載の無線マルチキャスト通信制御方法。
【請求項１２】
前記複数の無線端末を所定数のグループにわけた場合、
前記無線端末が、自身が属するグループ番号を算出し、前記制御用アップリンク共通チャネルのフレーム番号および前記グループ番号に基づいて、再送を要求するかどうかを判定する再送判定ステップ、
をさらに含み、
前記再送要求ステップにあっては、前記再送判定ステップにて再送が許可された場合に、前記制御用ダウンリンク共通チャネル上に「データ再送要求情報」が送信されているかどうかを確認することを特徴とする請求項１１に記載の無線マルチキャスト通信制御方法。
【請求項１３】
前記第１のダウンリンク受信制御ステップにあっては、
前記データ用ダウンリンク共通チャネル上におけるマルチキャストデータのブロック誤り率を一定時間間隔で計測し、その後、予め指示された所定のブロック誤り率と、前記計測したブロック誤り率と、を比較する誤り率比較ステップと、前記計測したブロック誤り率の方が高い場合に、そのデータに対応するシーケンス番号を前記再送要求手段に対して出力するシーケンス番号出力ステップと、を含むことを特徴とする請求項１０、１１または１２に記載の無線マルチキャスト通信制御方法。
【請求項１４】
前記無線端末は、さらに、
ダウンリンクの受信品質を測定する受信品質測定手段、
を備え、
前記アップリンク送信制御手段が、さらに、測定された「ダウンリンク受信品質情報」を前記制御用アップリンク共通チャネル上にマッピングし、
前記無線基地局は、
複数の無線端末から受け取る「ダウンリンク受信品質情報」に基づいて、各無線端末を複数のクラスに分配し、クラス毎に、各無線端末の「データ再送要求情報」の送信可能タイミングを示す「再送要求スケジュール情報」を生成する再送制御手段、
を備え、
前記第２のダウンリンク送信制御手段が、当該「再送要求スケジュール情報」を前記制御用ダウンリンク共通チャネル上にマッピングすることを特徴とする請求項２に記載の無線通信システム。
【請求項１５】
前記無線端末は、さらに、
前記無線基地局から受け取る「再送要求スケジュール情報」に基づいて再送を要求するかどうかを判定する再送判定手段、
を備え、
前記再送要求手段では、前記再送判定手段が再送を許可した場合に、前記制御用ダウンリンク共通チャネルに「データ再送要求情報」が送信されているかどうかを確認することを特徴とする請求項１４に記載の無線通信システム。
【請求項１６】
前記再送制御手段は、
受け取った「ダウンリンク受信品質情報」に基づいて各無線端末を複数のクラスに分配し、クラス毎に「データ再送要求情報」の送信可能タイミングを生成するとともに、さらに、特定の無線端末に対して別途「データ再送要求情報」の送信可能タイミングを設定した「再送要求スケジュール情報」を生成することを特徴とする請求項１４または１５に記載の無線通信システム。
【請求項１７】
前記無線基地局の第１のダウンリンク送信制御手段は、さらに、
前記アップリンク受信制御手段から通知された一つまたは複数の「データ再送要求情報」を再送データの送信に先立ちデータ用ダウンリンク共通チャネル上にマッピングし、
前記無線端末の第１のダウンリンク受信制御手段は、さらに、
前記データ用ダウンリンク共通チャネル上の「データ再送要求情報」を抽出し、当該情報に含まれるシーケンス番号を検出することを特徴とする請求項１４、１５または１６に記載の無線通信システム。
【請求項１８】
前記無線基地局のアップリンク受信制御手段は、
制御用アップリンク個別チャネル上の「データ再送要求情報」を解析し、当該情報に含まれたシーケンス番号に対応するデータの再送を要求し、
前記無線端末のアップリンク送信制御手段は、
「データ再送要求情報」を制御用アップリンク個別チャネルにマッピングすることを特徴とする請求項１４、１５または１６に記載の無線通信システム。
【請求項１９】
複数の無線端末から受け取る「ダウンリンク受信品質情報」に基づいて、各無線端末を複数のクラスに分配し、クラス毎に、各無線端末の「データ再送要求情報」の送信可能タイミングを示す「再送要求スケジュール情報」を生成する再送制御手段、
を備え、
前記第２のダウンリンク送信制御手段が、当該「再送要求スケジュール情報」を前記制御用ダウンリンク共通チャネル上にマッピングすることを特徴とする請求項５に記載の無線基地局。
【請求項２０】
前記再送制御手段は、
受け取った「ダウンリンク受信品質情報」に基づいて各無線端末を複数のクラスに分配し、クラス毎に「データ再送要求情報」の送信可能タイミングを生成するとともに、さらに、特定の無線端末に対して別途「データ再送要求情報」の送信可能タイミングを設定した「再送要求スケジュール情報」を生成することを特徴とする請求項１９に記載の無線基地局。
【請求項２１】
前記第１のダウンリンク送信制御手段は、さらに、アップリンク受信制御手段から通知された一つまたは複数の「データ再送要求情報」を再送データの送信に先立ちデータ用ダウンリンク共通チャネル上にマッピングすることを特徴とする請求項１９または２０に記載の無線基地局。
【請求項２２】
前記アップリンク受信制御手段は、
制御用アップリンク個別チャネル上の「データ再送要求情報」を解析し、当該情報に含まれたシーケンス番号に対応するデータの再送を要求することを特徴とする請求項１９または２０に記載の無線基地局。
【請求項２３】
さらに、ダウンリンクの受信品質を測定する受信品質測定手段を備え、
前記アップリンク送信制御手段が、さらに、測定された「ダウンリンク受信品質情報」を前記制御用アップリンク共通チャネル上にマッピングすることを特徴とする請求項７に記載の無線端末。
【請求項２４】
さらに、無線基地局から受け取る「再送要求スケジュール情報」に基づいて再送を要求するかどうかを判定する再送判定手段を備え、
前記再送要求手段では、前記再送判定手段が再送を許可した場合に、前記制御用ダウンリンク共通チャネルに「データ再送要求情報」が送信されているかどうかを確認することを特徴とする請求項２３に記載の無線端末。
【請求項２５】
前記第１のダウンリンク受信制御手段は、さらに、
前記データ用ダウンリンク共通チャネル上の「データ再送要求情報」を抽出し、当該情報に含まれるシーケンス番号を検出することを特徴とする請求項２３または２４に記載の無線端末。
【請求項２６】
前記アップリンク送信制御手段は、
「データ再送要求情報」を制御用アップリンク個別チャネルにマッピングすることを特徴とする請求項２３または２４に記載の無線端末。
【請求項２７】
さらに、前記無線端末において、ダウンリンクの受信品質を測定する受信品質測定ステップを含み、
前記アップリンク送信制御ステップでは、さらに、測定された「ダウンリンク受信品質情報」を前記制御用アップリンク共通チャネル上にマッピングし、
前記無線基地局において、複数の無線端末から受け取る「ダウンリンク受信品質情報」に基づいて、各無線端末を複数のクラスに分配し、クラス毎に、各無線端末の「データ再送要求情報」の送信可能タイミングを示す「再送要求スケジュール情報」を生成する再送制御ステップを含み、
前記第２のダウンリンク送信制御ステップでは、当該「再送要求スケジュール情報」を前記制御用ダウンリンク共通チャネル上にマッピングすることを特徴とする請求項１１に記載の無線マルチキャスト通信制御方法。
【請求項２８】
前記無線端末において、さらに、前記無線基地局から受け取る「再送要求スケジュール情報」に基づいて再送を要求するかどうかを判定する再送判定ステップを含み、
前記再送要求ステップでは、前記再送判定ステップにて再送が許可された場合に、前記制御用ダウンリンク共通チャネルに「データ再送要求情報」が送信されているかどうかを確認することを特徴とする請求項２７に記載の無線マルチキャスト通信制御方法。
【請求項２９】
前記再送制御ステップにあっては、
受け取った「ダウンリンク受信品質情報」に基づいて各無線端末を複数のクラスに分配し、クラス毎に「データ再送要求情報」の送信可能タイミングを生成するとともに、さらに、特定の無線端末に対して別途「データ再送要求情報」の送信可能タイミングを設定した「再送要求スケジュール情報」を生成することを特徴とする請求項２７または２８に記載の無線マルチキャスト通信制御方法。
【請求項３０】
前記第１のダウンリンク送信制御ステップにあっては、さらに、
前記アップリンク受信制御ステップにて通知された一つまたは複数の「データ再送要求情報」を再送データの送信に先立ちデータ用ダウンリンク共通チャネル上にマッピングし、
前記第１のダウンリンク受信制御ステップにあっては、さらに、
前記データ用ダウンリンク共通チャネル上の「データ再送要求情報」を抽出し、当該情報に含まれるシーケンス番号を検出することを特徴とする請求項２７、２８または２９に記載の無線マルチキャスト通信制御方法。
【請求項３１】
前記アップリンク受信制御ステップにあっては、
制御用アップリンク個別チャネル上の「データ再送要求情報」を解析し、当該情報に含まれたシーケンス番号に対応するデータの再送を要求し、
前記アップリンク送信制御ステップにあっては、
「データ再送要求情報」を制御用アップリンク個別チャネルにマッピングすることを特徴とする請求項２７、２８または２９に記載の無線マルチキャスト通信制御方法。
【発明の詳細な説明】
【０００１】
【発明の属する技術分野】
本発明は、無線基地局および該基地局に収容された複数の無線端末で構成される無線通信システムに関するものであり、特に、無線回線上でダウンリンクのマルチキャスト通信を行う無線通信システム、およびその無線マルチキャスト通信制御方法に関するものである。
【０００２】
【従来の技術】
以下、マルチキャスト通信を行う従来の無線通信システムについて説明する。通常（マルチキャスト通信を行っていない場合）、送信局がデータを送信した場合、受信局では、各データに連続的に付与されたシーケンス番号のチェックを行い、たとえば、シーケンス番号の欠落を検出した場合に、送信局に対して欠落したシーケンス番号に対応するデータの再送を要求する。
【０００３】
しかしながら、この動作を無線マルチキャスト通信に適用すると、従来の無線通信システムにおいては、受信局の数が増加した場合に各受信局から送信局への応答数が多くなり、送信局での処理負荷が高くなる。
【０００４】
一方、送信局の処理負荷を軽減可能な従来の無線マルチキャスト通信制御方法としては、たとえば、特開平１１−４６１６１に記載された「無線マルチキャリアデータ転送方法」がある。ここでは、まず、送信局が、送受信可能な受信局同士を複数にわけてグループ化し、それら各グループの中から任意の受信局を代表局として選出する。そして、送信局では、各グループに対して、それぞれマルチキャストデータにアドレスと順序番号とを付与したマルチキャストブロックを送信し、最終ブロック送信後、グループの一つに対してポーリングを行う。
【０００５】
ポーリングを受けたグループの代表局では、マルチキャストデータを正しく受信できた場合に、送信局に対してＡＣＫを送信し、一方、マルチキャストデータを正しく受信できなかった場合には、ＮＡＫに誤ったブロックの番号を添えて送信局に対して返信する。また、グループ内の代表局以外の局では、代表局が返す結果を常にモニタし、代表局が返信した応答がＡＣＫであった場合、または代表局の応答をモニタできなかった場合、かつマルチキャストブロックで正しく受信できなかったブロックがある場合に、一定時間以内に、ＮＡＫに再送を要求するブロックの番号を添えて送信局に対して返信する。
【０００６】
送信局では、たとえば、ＮＡＫにより再送を要求された場合、ポーリングを中断し、ただちに要求された番号のブロックをマルチキャストで再送し、再送終了後、先にポーリングを中断したグループの代表局に対して、改めてポーリングを行う。その後、代表局からＡＣＫを受信し、かつ一定時間以内にＮＡＫが返ってこなければ、送信局では、つぎのグループに対してポーリングを行い、その後、すべてのグループに対してポーリングを繰り返し実行し、最後のグループからのＡＣＫを受け取った時点で、マルチキャストデータ転送を完了する。
【０００７】
このように、上記のような従来の無線マルチキャスト通信制御方法では、複数の無線端末のグループ化を実施し、その後、グループ単位にポーリングを行い、すべてのグループからＡＣＫを受け取った時点で、マルチキャストデータ転送を完了するため、無線端末の数が多くなった場合においても、すべての無線端末からの応答を受け取る場合と比較して、無線基地局における処理の負荷を大幅に低減することできる。
【０００８】
また、上記無線通信システム以外に、無線基地局が無線端末に対して応答タイミングを通知することにより、無線チャネルの利用効率の向上かつ応答時間の短縮、を実現可能な無線通信システムが提案されている。
【０００９】
上記、無線基地局が無線端末に対して応答タイミングを通知する無線通信システムとしては、たとえば、特開平６−２６０９９７に記載された「同報伝送方式」がある。この無線通信システムでは、子局（無線端末）が親局（無線基地局）に対して同報（マルチキャスト）データに対する応答を送信できる上り無線チャネルが複数存在する場合、親局が、複数の子局に対して応答を送信するための無線チャネルと送信タイミングとを、同報通信中の制御信号で通知する。
【００１０】
図２０は、上記従来の無線通信システムの具体的な動作を示す図である。まず、親局（無線基地局）では、タイミングＴ１の網掛け部分の制御信号により、各子局に対して、応答を送信するための無線チャネルと送信タイミングとを通知する。たとえば、無線チャネル１（ＣＨ１）を子局＃１，＃４，＃５が使用し、送信順序を＃１，＃４，＃５と指定する。また、ＣＨ２を子局＃２，＃６，＃８が使用し、送信順序を＃２、＃６、＃８と指定する。また、ＣＨ３を子局＃３，＃７，＃９が使用し、送信順序を＃３，＃７，＃９と指定する。
【００１１】
各子局では、同報通信に対する応答を、指定された無線チャネルとタイミングで行う（Ｒ１）。なお、各子局は、グループで区分するか、または個別に区分して指定する。
【００１２】
このように、上記のような従来の無線マルチキャスト通信制御方法では、親局は、複数の子局に対して応答を送信するための無線チャネルと送信タイミングとを同報通信中の制御信号で通知するため、無線チャネルの利用効率を高めることができ、さらに、無線端末からの応答時間を短縮することができる。
【００１３】
【発明が解決しようとする課題】
しかしながら、上記、従来の無線通信システムおよび無線マルチキャスト通信制御方法において（特開平１１−４６１６１号公報）は、各グループの代表局に対してポーリングによる送達確認を行っているため、グループ数が多くなった場合に、送達確認処理に時間がかかる、という問題があった。
【００１４】
また、従来の無線通信システムおよび無線マルチキャスト通信制御方法において（特開平１１−４６１６１号公報）は、各無線端末が移動しているような場合に、代表局との距離が離れ、代表局が返送するポーリングの応答を受信できなくなることがある。このような場合、無線基地局では、各無線端末の位置関係を把握し、グループおよびその代表局に関する構成を随時変更しなければならない、という問題があった。
【００１５】
また、従来の無線マルチキャスト通信制御方法において（特開平６−２６０９９７号公報）は、すべての子局からの応答が親局宛に送信されるため、子局の数が多くなるにしたがって親局での処理負荷が大きくなる、という問題があった。また、子局をグループで区分する場合、グループを構成する子局を無線チャネルの状態に応じてダイナミックに変更することができない、という問題があった。
【００１６】
本発明は、上記に鑑みてなされたものであって、無線端末の数が多くなった場合においても、無線基地局における処理負荷を低減でき、さらに、無線端末が移動しているような場合においても、何ら特別の処理を必要としない無線通信システム、およびその無線マルチキャスト通信制御方法を得ることを目的とする。
【００１７】
また、無線チャネルの状態変化に適応可能な無線通信システム、およびその無線マルチキャスト通信制御方法を得ることを目的とする。
【００１８】
【課題を解決するための手段】
上述した課題を解決し、目的を達成するために、本発明にかかる無線通信システムにあっては、ネットワーク接続された複数の無線基地局と、各基地局に収容された複数の無線端末と、で構成され、前記無線基地局が、ブロック単位にシーケンス番号が付加されたマルチキャストデータを、または、前記マルチキャストデータに優先して再送データを、データ用ダウンリンク共通チャネル上にマッピングする第１のダウンリンク送信制御手段（後述する実施の形態のデータ送信制御部１０４、データ用ＤＬ共通チャネル送信制御部１０５、ダウンリンク送信制御部１０６に相当）と、制御用アップリンク共通チャネル上の「データ再送要求情報」を解析し、当該情報に含まれたシーケンス番号に対応するデータの再送を要求するアップリンク受信制御手段（制御用ＵＬ共通チャネル受信制御部１０９、再送制御部１０７に相当）と、前記「データ再送要求情報」を制御用ダウンリンク共通チャネル上にマッピングする第２のダウンリンク送信制御手段（制御用ＤＬ共通チャネル送信制御部１０８、ダウンリンク送信制御部１０６に相当）と、を備え、前記無線端末が、前記データ用ダウンリンク共通チャネル上のデータからシーケンス番号を検出し、上位プロトコルに対してシーケンス番号順に組み立て後のデータを転送する第１のダウンリンク受信制御手段（ダウンリンク受信制御部２１０、データ用ＤＬ共通チャネル受信制御部２０９、データ受信制御部２０７に相当）と、前記制御用ダウンリンク共通チャネル上の「データ再送要求情報」を抽出し、当該情報に含まれるシーケンス番号を検出する第２のダウンリンク受信制御手段（ダウンリンク受信制御部２１０、制御用ＤＬ共通チャネル受信制御部２０８に相当）と、前記データから検出されたシーケンス番号、または、当該シーケンス番号および前記「データ再送要求情報」に含まれるシーケンス番号、に基づいて、欠落受信データの再送を要求する再送要求手段（再送要求作成部２０４に相当）と、前記再送要求に基づいて生成した「データ再送要求情報」を前記制御用アップリンク共通チャネルにマッピングするアップリンク送信制御手段（制御用ＵＬ共通チャネル送信制御部２０５に相当）と、を備えることを特徴とする。
【００１９】
つぎの発明にかかる無線通信システムにおいて、前記再送要求手段は、前記データ用ダウンリンク共通チャネル上のデータに欠落があった場合、前記制御用ダウンリンク共通チャネル上に「データ再送要求情報」が送信されているかどうかを確認し、「データ再送要求情報」がない場合に、前記データから検出されたシーケンス番号に基づいて新たな「データ再送要求情報」を生成し、「データ再送要求情報」がある場合、前記データから検出されたすべてのシーケンス番号が、当該情報に含まれているかどうかを確認し、含まれていれば、新たな「データ再送要求情報」を生成せず、含まれていなければ、当該情報に含まれているシーケンス番号を除外した新たな「データ再送要求情報」を生成することを特徴とする。
【００２０】
つぎの発明にかかる無線通信システムにおいて、前記複数の無線端末を所定数のグループにわけた場合、前記無線端末は、さらに、自身が属するグループ番号を算出し、前記制御用アップリンク共通チャネルのフレーム番号および前記グループ番号に基づいて、再送を要求するかどうかを判定する再送判定手段（制御データ送信タイミング判定部２０６に相当）、を備え、前記再送要求手段では、前記再送判定手段が再送を許可した場合に、前記制御用ダウンリンク共通チャネル上に「データ再送要求情報」が送信されているかどうかを確認することを特徴とする。
【００２１】
つぎの発明にかかる無線通信システムにおいて、前記第１のダウンリンク受信制御手段は、前記データ用ダウンリンク共通チャネル上におけるマルチキャストデータのブロック誤り率を一定時間間隔で計測し、その後、予め指示された所定のブロック誤り率と、前記計測したブロック誤り率と、を比較し、前記計測したブロック誤り率の方が高い場合に、そのデータに対応するシーケンス番号を前記再送要求手段に対して出力することを特徴とする。
【００２２】
つぎの発明にかかる無線基地局にあっては、複数の無線端末を収容し、さらに、ブロック単位にシーケンス番号が付加されたマルチキャストデータを、または、前記マルチキャストデータに優先して再送データを、データ用ダウンリンク共通チャネル上にマッピングする第１のダウンリンク送信制御手段と、制御用アップリンク共通チャネル上の「データ再送要求情報」を解析し、当該情報に含まれたシーケンス番号に対応するデータの再送を要求するアップリンク受信制御手段と、前記「データ再送要求情報」を制御用ダウンリンク共通チャネル上にマッピングする第２のダウンリンク送信制御手段と、を備えることを特徴とする。
【００２３】
つぎの発明にかかる無線端末にあっては、無線基地局に収容され、さらに、データ用ダウンリンク共通チャネル上のマルチキャストデータにブロック単位に付加されたシーケンス番号を検出し、上位プロトコルに対してシーケンス番号順に組み立て後のデータを転送する第１のダウンリンク受信制御手段と、制御用ダウンリンク共通チャネル上の「データ再送要求情報」を抽出し、当該情報に含まれるシーケンス番号を検出する第２のダウンリンク受信制御手段と、前記マルチキャストデータから検出されたシーケンス番号、または、当該シーケンス番号および前記「データ再送要求情報」に含まれるシーケンス番号、に基づいて、欠落受信データの再送を要求する再送要求手段と、前記再送要求に基づいて生成した「データ再送要求情報」を制御用アップリンク共通チャネルにマッピングするアップリンク送信制御手段と、を備えることを特徴とする。
【００２４】
つぎの発明にかかる無線端末において、前記再送要求手段は、前記データ用ダウンリンク共通チャネル上のデータに欠落があった場合、前記制御用ダウンリンク共通チャネル上に「データ再送要求情報」が送信されているかどうかを確認し、「データ再送要求情報」がない場合に、前記データから検出されたシーケンス番号に基づいて新たな「データ再送要求情報」を生成し、「データ再送要求情報」がある場合、前記データから検出されたすべてのシーケンス番号が、当該情報に含まれているかどうかを確認し、含まれていれば、新たな「データ再送要求情報」を生成せず、含まれていなければ、当該情報に含まれているシーケンス番号を除外した新たな「データ再送要求情報」を生成することを特徴とする。
【００２５】
つぎの発明にかかる無線端末にあっては、さらに、複数の無線端末が所定数のグループにわけられた場合に、自身が属するグループ番号を算出し、前記制御用アップリンク共通チャネルのフレーム番号および前記グループ番号に基づいて、再送を要求するかどうかを判定する再送判定手段、を備え、前記再送要求手段では、前記再送判定手段が再送を許可した場合に、前記制御用ダウンリンク共通チャネル上に「データ再送要求情報」が送信されているかどうかを確認することを特徴とする。
【００２６】
つぎの発明にかかる無線端末において、前記第１のダウンリンク受信制御手段は、前記データ用ダウンリンク共通チャネル上におけるマルチキャストデータのブロック誤り率を一定時間間隔で計測し、その後、予め指示された所定のブロック誤り率と、前記計測したブロック誤り率と、を比較し、前記計測したブロック誤り率の方が高い場合に、そのデータに対応するシーケンス番号を前記再送要求手段に対して出力することを特徴とする。
【００２７】
つぎの発明にかかる無線マルチキャスト通信制御方法にあっては、ネットワーク接続された複数の無線基地局および各基地局に収容された複数の無線端末により実行され、たとえば、前記無線基地局が、ブロック単位にシーケンス番号が付加されたマルチキャストデータを、または、前記マルチキャストデータに優先して再送データを、データ用ダウンリンク共通チャネル上にマッピングする第１のダウンリンク送信制御ステップと、制御用アップリンク共通チャネル上の「データ再送要求情報」を解析し、当該情報に含まれたシーケンス番号に対応するデータの再送を要求するアップリンク受信制御ステップと、前記「データ再送要求情報」を制御用ダウンリンク共通チャネル上にマッピングする第２のダウンリンク送信制御ステップと、前記無線端末が、前記データ用ダウンリンク共通チャネル上のデータからシーケンス番号を検出し、上位プロトコルに対してシーケンス番号順に組み立て後のデータを転送する第１のダウンリンク受信制御ステップと、前記制御用ダウンリンク共通チャネル上の「データ再送要求情報」を抽出し、当該情報に含まれるシーケンス番号を検出する第２のダウンリンク受信制御ステップと、前記データから検出されたシーケンス番号、または、当該シーケンス番号および前記「データ再送要求情報」に含まれるシーケンス番号、に基づいて、欠落受信データの再送を要求する再送要求ステップと、前記再送要求に基づいて生成した「データ再送要求情報」を前記制御用アップリンク共通チャネルにマッピングするアップリンク送信制御ステップと、を含むことを特徴とする。
【００２８】
つぎの発明にかかる無線マルチキャスト通信制御方法において、前記再送要求ステップにあっては、前記データ用ダウンリンク共通チャネル上のデータに欠落があった場合、前記制御用ダウンリンク共通チャネル上に「データ再送要求情報」が送信されているかどうかを確認する確認ステップと、「データ再送要求情報」がない場合に、前記データから検出されたシーケンス番号に基づいて新たな「データ再送要求情報」を生成する第１の情報生成ステップと、「データ再送要求情報」がある場合、前記データから検出されたすべてのシーケンス番号が、当該情報に含まれているかどうかを確認し、含まれていれば、新たな「データ再送要求情報」を生成せず、含まれていなければ、当該情報に含まれているシーケンス番号を除外した新たな「データ再送要求情報」を生成する第２の情報生成ステップと、を含むことを特徴とする。
【００２９】
つぎの発明にかかる無線マルチキャスト通信制御方法にあっては、前記複数の無線端末を所定数のグループにわけた場合、前記無線端末が、自身が属するグループ番号を算出し、前記制御用アップリンク共通チャネルのフレーム番号および前記グループ番号に基づいて、再送を要求するかどうかを判定する再送判定ステップ、をさらに含み、前記再送要求ステップにあっては、前記再送判定ステップにて再送が許可された場合に、前記制御用ダウンリンク共通チャネル上に「データ再送要求情報」が送信されているかどうかを確認することを特徴とする。
【００３０】
つぎの発明にかかる無線マルチキャスト通信制御方法において、前記第１のダウンリンク受信制御ステップにあっては、前記データ用ダウンリンク共通チャネル上におけるマルチキャストデータのブロック誤り率を一定時間間隔で計測し、その後、予め指示された所定のブロック誤り率と、前記計測したブロック誤り率と、を比較する誤り率比較ステップと、前記計測したブロック誤り率の方が高い場合に、そのデータに対応するシーケンス番号を前記再送要求手段に対して出力するシーケンス番号出力ステップと、を含むことを特徴とする。
【００３１】
つぎの発明にかかる無線通信システムにおいて、前記無線端末は、さらに、ダウンリンクの受信品質を測定する受信品質測定手段、を備え、前記アップリンク送信制御手段が、さらに、測定された「ダウンリンク受信品質情報」を前記制御用アップリンク共通チャネル上にマッピングし、前記無線基地局は、複数の無線端末から受け取る「ダウンリンク受信品質情報」に基づいて、各無線端末を複数のクラスに分配し、クラス毎に、各無線端末の「データ再送要求情報」の送信可能タイミングを示す「再送要求スケジュール情報」を生成する再送制御手段、を備え、前記第２のダウンリンク送信制御手段が、当該「再送要求スケジュール情報」を前記制御用ダウンリンク共通チャネル上にマッピングすることを特徴とする。
【００３２】
つぎの発明にかかる無線通信システムにおいて、前記無線端末は、さらに、前記無線基地局から受け取る「再送要求スケジュール情報」に基づいて再送を要求するかどうかを判定する再送判定手段、を備え、前記再送要求手段では、前記再送判定手段が再送を許可した場合に、前記制御用ダウンリンク共通チャネルに「データ再送要求情報」が送信されているかどうかを確認することを特徴とする。
【００３３】
つぎの発明にかかる無線通信システムにおいて、前記再送制御手段は、受け取った「ダウンリンク受信品質情報」に基づいて各無線端末を複数のクラスに分配し、クラス毎に「データ再送要求情報」の送信可能タイミングを生成するとともに、さらに、特定の無線端末に対して別途「データ再送要求情報」の送信可能タイミングを設定した「再送要求スケジュール情報」を生成することを特徴とする。
【００３４】
つぎの発明にかかる無線通信システムにおいて、前記無線基地局の第１のダウンリンク送信制御手段は、さらに、前記アップリンク受信制御手段から通知された一つまたは複数の「データ再送要求情報」を再送データの送信に先立ちデータ用ダウンリンク共通チャネル上にマッピングし、前記無線端末の第１のダウンリンク受信制御手段は、さらに、前記データ用ダウンリンク共通チャネル上の「データ再送要求情報」を抽出し、当該情報に含まれるシーケンス番号を検出することを特徴とする。
【００３５】
つぎの発明にかかる無線通信システムにおいて、前記無線基地局のアップリンク受信制御手段は、制御用アップリンク個別チャネル上の「データ再送要求情報」を解析し、当該情報に含まれたシーケンス番号に対応するデータの再送を要求し、前記無線端末のアップリンク送信制御手段は、「データ再送要求情報」を制御用アップリンク個別チャネルにマッピングすることを特徴とする。
【００３６】
つぎの発明にかかる無線基地局にあっては、複数の無線端末から受け取る「ダウンリンク受信品質情報」に基づいて、各無線端末を複数のクラスに分配し、クラス毎に、各無線端末の「データ再送要求情報」の送信可能タイミングを示す「再送要求スケジュール情報」を生成する再送制御手段、を備え、前記第２のダウンリンク送信制御手段が、当該「再送要求スケジュール情報」を前記制御用ダウンリンク共通チャネル上にマッピングすることを特徴とする。
【００３７】
つぎの発明にかかる無線基地局において、前記再送制御手段は、受け取った「ダウンリンク受信品質情報」に基づいて各無線端末を複数のクラスに分配し、クラス毎に「データ再送要求情報」の送信可能タイミングを生成するとともに、さらに、特定の無線端末に対して別途「データ再送要求情報」の送信可能タイミングを設定した「再送要求スケジュール情報」を生成することを特徴とする。
【００３８】
つぎの発明にかかる無線基地局において、前記第１のダウンリンク送信制御手段は、さらに、アップリンク受信制御手段から通知された一つまたは複数の「データ再送要求情報」を再送データの送信に先立ちデータ用ダウンリンク共通チャネル上にマッピングすることを特徴とする。
【００３９】
つぎの発明にかかる無線基地局において、前記アップリンク受信制御手段は、制御用アップリンク個別チャネル上の「データ再送要求情報」を解析し、当該情報に含まれたシーケンス番号に対応するデータの再送を要求することを特徴とする。
【００４０】
つぎの発明にかかる無線端末にあっては、さらに、ダウンリンクの受信品質を測定する受信品質測定手段を備え、前記アップリンク送信制御手段が、さらに、測定された「ダウンリンク受信品質情報」を前記制御用アップリンク共通チャネル上にマッピングすることを特徴とする。
【００４１】
つぎの発明にかかる無線端末にあっては、さらに、無線基地局から受け取る「再送要求スケジュール情報」に基づいて再送を要求するかどうかを判定する再送判定手段を備え、前記再送要求手段では、前記再送判定手段が再送を許可した場合に、前記制御用ダウンリンク共通チャネルに「データ再送要求情報」が送信されているかどうかを確認することを特徴とする。
【００４２】
つぎの発明にかかる無線端末において、前記第１のダウンリンク受信制御手段は、さらに、前記データ用ダウンリンク共通チャネル上の「データ再送要求情報」を抽出し、当該情報に含まれるシーケンス番号を検出することを特徴とする。
【００４３】
つぎの発明にかかる無線端末において、前記アップリンク送信制御手段は、「データ再送要求情報」を制御用アップリンク個別チャネルにマッピングすることを特徴とする。
【００４４】
つぎの発明にかかる無線マルチキャスト通信制御方法にあっては、さらに、前記無線端末において、ダウンリンクの受信品質を測定する受信品質測定ステップを含み、前記アップリンク送信制御ステップでは、さらに、測定された「ダウンリンク受信品質情報」を前記制御用アップリンク共通チャネル上にマッピングし、前記無線基地局において、複数の無線端末から受け取る「ダウンリンク受信品質情報」に基づいて、各無線端末を複数のクラスに分配し、クラス毎に、各無線端末の「データ再送要求情報」の送信可能タイミングを示す「再送要求スケジュール情報」を生成する再送制御ステップを含み、前記第２のダウンリンク送信制御ステップでは、当該「再送要求スケジュール情報」を前記制御用ダウンリンク共通チャネル上にマッピングすることを特徴とする。
【００４５】
つぎの発明にかかる無線マルチキャスト通信制御方法にあっては、前記無線端末において、さらに、前記無線基地局から受け取る「再送要求スケジュール情報」に基づいて再送を要求するかどうかを判定する再送判定ステップを含み、前記再送要求ステップでは、前記再送判定ステップにて再送が許可された場合に、前記制御用ダウンリンク共通チャネルに「データ再送要求情報」が送信されているかどうかを確認することを特徴とする。
【００４６】
つぎの発明にかかる無線マルチキャスト通信制御方法において、前記再送制御ステップにあっては、受け取った「ダウンリンク受信品質情報」に基づいて各無線端末を複数のクラスに分配し、クラス毎に「データ再送要求情報」の送信可能タイミングを生成するとともに、さらに、特定の無線端末に対して別途「データ再送要求情報」の送信可能タイミングを設定した「再送要求スケジュール情報」を生成することを特徴とする。
【００４７】
つぎの発明にかかる無線マルチキャスト通信制御方法において、前記第１のダウンリンク送信制御ステップにあっては、さらに、前記アップリンク受信制御ステップにて通知された一つまたは複数の「データ再送要求情報」を再送データの送信に先立ちデータ用ダウンリンク共通チャネル上にマッピングし、前記第１のダウンリンク受信制御ステップにあっては、さらに、前記データ用ダウンリンク共通チャネル上の「データ再送要求情報」を抽出し、当該情報に含まれるシーケンス番号を検出することを特徴とする。
【００４８】
つぎの発明にかかる無線マルチキャスト通信制御方法において、前記アップリンク受信制御ステップにあっては、制御用アップリンク個別チャネル上の「データ再送要求情報」を解析し、当該情報に含まれたシーケンス番号に対応するデータの再送を要求し、前記アップリンク送信制御ステップにあっては、「データ再送要求情報」を制御用アップリンク個別チャネルにマッピングすることを特徴とする。
【００４９】
【発明の実施の形態】
以下に、本発明にかかる無線通信システムおよび無線マルチキャスト通信制御方法の実施の形態を図面に基づいて詳細に説明する。なお、この実施の形態によりこの発明が限定されるものではない。
【００５０】
実施の形態１．
図１は、本発明にかかる無線通信システムの構成を示す図である。図１において、１は有線ネットワーク３を介して相互に接続された無線基地局であり、２は無線基地局１が収容する複数の無線端末である。本実施の形態においては、このような構成を用いて、無線マルチキャスト通信の制御を行う。
【００５１】
また、図２は、上記無線基地局１の構成を示す図であり、図３は、上記無線端末２の構成を示す図である。図２において、１０１は有線回線インタフェース部であり、１０２は無線回線インタフェース部であり、１０３はアンテナであり、１０４はデータ送信制御部であり、１０５はデータ用ＤＬ（ダウンリンク）共通チャネル送信制御部であり、１０６はダウンリンク送信制御部であり、１０７は再送制御部であり、１０８は制御用ＤＬ共通チャネル送信制御部であり、１０９は制御用ＵＬ（アップリンク）共通チャネル受信制御部である。一方、図３において、２０１は上位プロトコル処理部であり、２０２は無線回線インタフェース部であり、２０３はアンテナであり、２０４は再送要求作成部であり、２０５は制御用ＵＬ共通チャネル送信制御部であり、２０６は制御データ送信タイミング判定部であり、２０７はデータ受信制御部であり、２０８は制御用ＤＬ共通チャネル受信制御部であり、２０９はデータ用ＤＬ共通チャネル受信制御部であり、２１０はダウンリンク受信制御部である。
【００５２】
ここで、上記無線通信システムにおける無線基地局１および無線端末２の構成および動作、すなわち、本実施の形態の無線マルチキャスト通信制御方法について説明する。
【００５３】
まず、無線基地局１におけるダウンリンク（無線基地局１から無線端末２への方向）のマルチキャストデータの送信処理について説明する。たとえば、データ送信制御部１０４では、有線回線インタフェース１０１を介して有線ネットワーク３から受け取ったマルチキャストデータを、データ用ダウンリンク共通チャネル上のフレームに適合するデータ長に分割し、それぞれにシーケンス番号を付与する。なお、ここでは、シーケンス番号が付与された個々のマルチキャストデータをブロックと呼ぶ。
【００５４】
データ用ＤＬ共通チャネル送信制御部１０５では、各ブロックを、データ用ダウンリンク共通チャネルにマッピングし、ダウンリンク送信制御部１０６，無線回線インタフェース部１０２，アンテナ１０３を介して送信する。なお、データ用ＤＬ共通チャネル送信制御部１０５では、再送制御部１０７からマルチキャストデータの再送要求を受け取った場合、上記マルチキャストデータに優先して、再送データをデータ用ダウンリンク共通チャネルにマッピングする。
【００５５】
つぎに、無線基地局１における制御用アップリンク（無線端末２から無線基地局１への方向）共通チャネルの処理について説明する。たとえば、制御用ＵＬ共通チャネル受信制御部１０９では、無線回線インタフェース部１０２を介して受け取った「データ再送要求情報」を解析し、再送制御部１０７に対して再送すべきデータのシーケンス番号を通知する。そして、受け取った「データ再送要求情報」を、制御用ＤＬ共通チャネル送信制御部１０８に通知する。なお、図４は、上記「データ再送要求情報」の具体例を示す図である。
【００５６】
制御用ＤＬ共通チャネル送信制御部１０８では、受け取った「データ再送要求情報」を制御用ダウンリンク共通チャネルにマッピングし、ダウンリンク送信制御部１０６，無線回線インタフェース部１０２，アンテナ１０３を介して送信する。なお、図５は、制御用アップリンク共通チャネルと制御用ダウンリンク共通チャネルにおける「データ再送要求情報」のマッピング（送受信）のタイミングを示す図である。
【００５７】
つぎに、無線端末２におけるダウンリンク（無線基地局１から無線端末２への方向）のマルチキャストデータの受信処理について説明する。まず、データ用ＤＬ共通チャネル受信制御部２０９では、アンテナ２０３，無線回線インタフェース部２０２，ダウンリンク受信制御部２１０を介して受け取ったマルチキャストデータを抽出する。そして、データ受信制御部２０７では、抽出されたシーケンス番号のチェックを行い、シーケンス番号順に上位プロトコルデータを組み立て、上位プロトコル処理部２０１に対して組み立て後のデータを転送する。
【００５８】
ここで、シーケンス番号のチェックを行ったときに、受信データの欠落を検出した場合、データ受信制御部２０７では、再送が必要なシーケンス番号を再送要求作成部２０４に対して通知する。
【００５９】
つぎに、無線端末２における制御用ダウンリンク共通チャネルから受け取ったデータ再送要求情報の処理について説明する。たとえば、制御用ＤＬ共通チャネル受信制御部２０８では、アンテナ２０３，無線回線インタフェース部２０２，ダウンリンク受信制御部２１０を介して受け取った「データ再送要求情報」を抽出し、当該「データ再送要求情報」に含まれるシーケンス番号を再送要求作成部２０４に通知する。
【００６０】
つぎに、無線端末２における制御用アップリンク共通チャネルへの「データ再送要求情報」の送信処理について説明する。図６は、無線端末２内の再送要求作成部２０４の処理フローを示す図である。まず、再送要求作成部２０４では、データ受信制御部２０７から通知されたシーケンス番号から送信すべき「データ再送要求情報」を作成し、その「データ再送要求情報」を制御用ＵＬ共通チャネル送信制御部２０５に対して通知する。
【００６１】
具体的にいうと、まず、再送要求作成部２０４では、データ受信制御部２０７から再送要求が必要なデータのシーケンス番号が通知された場合（図６、ステップＳ１）、制御用ダウンリンク共通チャネル上に「データ再送要求情報」が送信されているかどうかのチェックを行う（ステップＳ２）。たとえば、制御用ダウンリンク共通チャネル上に「データ再送要求情報」がない場合（ステップＳ２，Ｎｏ）、再送要求作成部２０４では、データ受信制御部２０７から通知されたシーケンス番号に基づいて「データ再送要求情報」を作成し（ステップＳ５）、その「データ再送要求情報」を無線基地局１に対して送信する（ステップＳ６）。
【００６２】
一方、制御用ダウンリンク共通チャネル上に「データ再送要求情報」がある場合（ステップＳ２，Ｙｅｓ）、再送要求作成部２０４では、データ受信制御部２０７から通知されたすべてのシーケンス番号が、その「データ再送要求情報」に含まれているかどうかのチェックを行う（ステップＳ３）。このとき、「データ再送要求情報」の内容とシーケンス番号とが一致していれば（ステップＳ３，Ｙｅｓ）、再送要求作成部２０４では、新たな「データ再送要求情報」を作成しない。一方、一致していない場合には（ステップＳ３，Ｎｏ）、「データ再送要求情報」に含まれているシーケンス番号を除外した（ステップＳ４）新たな「データ再送要求情報」を作成し（ステップＳ５）、その「データ再送要求情報」を無線基地局１に対して送信する（ステップＳ６）。
【００６３】
このように、本実施の形態においては、各無線端末２および無線基地局１間の「データ再送要求情報」の送受信に制御用の共通チャネルを使用し、無線端末２が、「データ再送要求情報」と受け取ったマルチキャストデータのシーケンス番号とを比較し、無線基地局１が既に再送要求を受け付けたマルチキャストデータについて再送要求を行わないようにした。これにより、たとえば、無線端末２の数が増加した場合においても、無線基地局１における処理の負荷を大幅に低減することができる。
【００６４】
また、本実施の形態においては、従来のように、無線基地局が各グループの代表局に対してポーリングによる送達確認を行うのではなく、無線端末２が受信を確認できなかったデータがある場合にのみ再送要求を行うようにしたため、送達確認処理の時間の削減を実現できる。
【００６５】
また、本実施の形態においては、無線端末２が移動している場合においても、従来のように、代表局からポーリングの応答を受信する必要がないため、何ら特別の処理を実施することなく、データ再送要求の処理負荷を低減することができる。
【００６６】
実施の形態２．
図７は、無線端末２内の再送要求作成部２０４の実施の形態２の処理フローを示す図である。本実施の形態では、無線端末２における制御用アップリンク共通チャネルへの「データ再送要求情報」の送信処理について説明する。なお、無線通信システム，無線基地局１，および無線端末２の構成については、前述した実施の形態１と同様であるため、同一の符号を付してその説明を省略する。また、図７に示す処理フロー以外の動作についても、前述と同様であるため、その説明を省略する。
【００６７】
たとえば、制御データ送信タイミング判定部２０６では、自無線端末２が属するグループ番号Ｎｇを、自無線端末２の製造番号Ｎｍとグループ数Ｎｇｔとを用い、以下のモジュロ演算（（１）式参照）に基づいて計算する。なお、グループ数Ｎｇｔは、予めネットワークもしくはユーザから知らされているものとする。
Ｎｇ ＝ Ｎｍ ｍｏｄ Ｎｇｔ                …（１）
【００６８】
また、制御データ送信タイミング判定部２０６では、制御用アップリンクフレーム番号ＦＮから得られる送信判定用フレーム番号Ｎｆと、自無線端末２が属するグループ番号Ｎｇと、を比較し、一致した場合に、送信許可を再送要求作成部２０４に対して通知する。なお、上記送信判定用フレーム番号Ｎｆは、以下の（２）式のモジュロ演算に基づいて計算する。
Ｎｆ ＝ ＦＮ ｍｏｄ Ｎｇｔ                …（２）
【００６９】
その後、再送要求作成部２０４では、まず、制御データ送信タイミング判定部２０６から送信許可が通知された場合に（ステップＳ１１）、データ受信制御部２０７から再送要求が通知されているかどうかのチェックを行う（ステップＳ１２）。このとき、再送要求が通知されていなければ（ステップＳ１２，Ｎｏ）、再送要求作成部２０４はこの処理を終了する。一方、データ受信制御部２０７から再送要求が通知されていれば（ステップＳ１２，Ｙｅｓ）、以降、先に説明した実施の形態１と同様の処理で、送信すべき「データ再送要求情報」を作成し、その「データ再送要求情報」を無線基地局に対して送信する（ステップＳ３〜Ｓ６）。なお、ここでは、「データ再送要求情報」が実際に送信される送信判定用フレーム番号Ｎｆが、Ｎｇ＋１となる。
【００７０】
このように、本実施の形態においては、前述の実施の形態１と同様の効果が得られるとともに、さらに、無線端末２をグループ化し、再送要求の送信タイミングをグループ毎に異なるようにしたことで、たとえば、無線端末２の数が増加した場合においても、無線基地局１にて受信するデータ再送要求の数を最小限に抑えることができ、無線基地局１における処理の負荷をさらに低減することが可能となる。
【００７１】
実施の形態３．
図８は、無線端末２内のデータ受信制御部２０７の処理フローを示す図である。本実施の形態では、無線端末２における制御用アップリンク共通チャネルへの「データ再送要求情報」の送信処理について説明する。なお、無線通信システム，無線基地局１，および無線端末２の構成については、前述した実施の形態１と同様であるため、同一の符号を付してその説明を省略する。また、図８に示す処理フロー以外の動作についても、前述の実施の形態１または２と同様であるため、その説明を省略する。
【００７２】
まず、データ用ＤＬ共通チャネル受信制御部２０９では、受信したブロックに誤りが含まれているか否かのチェックを行い、誤りが含まれているブロックを廃棄する。
【００７３】
その後、データ受信制御部２０７では、マルチキャストデータを受信する毎に（ステップＳ２１）、受信したブロックのシーケンス番号Ｓｒと、これまでに受信したシーケンス番号の最新値Ｓｎと、を比較する（ステップＳ２２）。そして、たとえば、シーケンス番号Ｓｒの方が大きければ（ステップＳ２２，Ｙｅｓ）、シーケンスの抜けがあるか否かのチェックを行い（ステップＳ２３）、抜けがあれば（ステップＳ２３，Ｎｏ）、抜けたブロック数を加算し（ステップＳ２４）、さらに、シーケンス番号Ｓｒをシーケンス番号Ｓｎに代入し（ステップＳ２５）、データ組み立て処理を実行する（ステップＳ２６）。一方、抜けがなければ（ステップＳ２３，Ｙｅｓ）、データ受信制御部２０７では、ただちに、シーケンス番号Ｓｒをシーケンス番号Ｓｎに代入し（ステップＳ２５）、その後、データ組み立て処理を実行する（ステップＳ２６）。
【００７４】
また、ステップＳ２２の処理において、受信したブロックのシーケンス番号Ｓｒがこれまでに受信したシーケンス番号の最新値Ｓｎより小さければ（ステップＳ２２，Ｎｏ）、そのブロックは再送ブロックであるので、データ受信制御部２０７では、シーケンス番号Ｓｒを、ＢＬＥＲの算出対象となるシーケンス番号の最古値Ｓｏと比較し（ステップＳ２７）、ＢＬＥＲ（ブロック誤り率）算出対象であれば（ステップＳ２７，Ｙｅｓ）、欠落ブロック数Ｎｎをデクリメントする（ステップＳ２８）。なお、ステップＳ２７の処理において、ＢＬＥＲ算出対象でなければ（ステップＳ２７，Ｎｏ）、そのままの状態で、データ組み立て処理を実行する（ステップＳ２６）。
【００７５】
また、制御データ送信タイミング判定部２０６では、前述した実施の形態２に記載の方法と同様の方法で、「データ再送要求情報」の送信タイミングを算出し、自無線端末２が属するグループの送信タイミングより１つ前の制御用アップリンクフレーム番号、すなわち、Ｎｆ＝Ｎｇ−１（Ｎｇ≠０）もしくはＮｆ＝Ｎｇｔ（Ｎｇ＝０）のタイミングで、データ受信制御部２０７に対してＢＬＥＲ算出タイミングを通知する。
【００７６】
その後、データ受信制御部２０７では、制御データ送信タイミング判定部２０６からＢＬＥＲ算出のタイミングを通知された後（ステップＳ２９）、ＢＬＥＲ算出対象となるシーケンス番号区間（Ｓｎ−Ｓｏ）および欠落ブロック数Ｎｎを用いて、ＢＬＥＲを算出する（ステップＳ３０）。
【００７７】
そして、算出したＢＬＥＲと、あらかじめ指示された基準ブロック誤り率と、を比較し（ステップＳ３１）、ＢＬＥＲの方が大きい場合に（ステップＳ３１，Ｙｅｓ）、データ受信制御部２０７では、欠落したシーケンス番号を再送要求作成部２０４に対して通知する（ステップＳ３２）。一方、ＢＬＥＲが基準ブロック誤り率以下の場合（ステップＳ３１，Ｎｏ）、データ受信制御部２０７では、再送要求を行わず、欠落ブロック数Ｎｎをクリアし（ステップＳ３３）、その後、シーケンス番号Ｓｏにシーケンス番号Ｓｎを代入し、新たなＢＬＥＲ算出対象となるシーケンス番号区間を設定する（ステップＳ３４）。なお、上記以外の動作については、前述の実施の形態１または２と同様である。
【００７８】
このように、本実施の形態においては、前述の実施の形態１または２と同様の効果が得られるとともに、さらに、予め規定された通信品質（上記基準ブロック誤り率）を満足するような一定のデータの欠落に対して、データの再送要求を送信しないようにしたことで、たとえば、無線端末２の数が増加した場合においても、無線基地局１で受信するデータ再送要求の数をより低く抑えることができ、無線基地局１における処理の負荷をさらに大幅に低減することが可能となる。
【００７９】
実施の形態４．
図９は、無線基地局１の実施の形態４の構成を示す図である。図９において、１０４ａはデータ送信制御部であり、１０５ａはデータ用ＤＬ共通チャネル送信制御部であり、１０７ａは再送制御部であり、１０８ａは制御用ＤＬ共通チャネル送信制御部であり、１０９ａは制御用ＵＬ共通チャネル受信制御部である。なお、先に説明した実施の形態１と同様の構成については、同一の符号を付してその説明を省略する。
【００８０】
また、図１０は、無線端末２の実施の形態４の構成を示す図である。図１０において、２０５ａは制御用ＵＬ共通チャネル送信制御部であり、２０６ａは制御データ送信タイミング判定部であり、２０８ａは制御用ＤＬ共通チャネル受信制御部であり、２１１はＤＬ受信品質測定部である。なお、先に説明した実施の形態１と同様の構成については、同一の符号を付してその説明を省略する。
【００８１】
ここで、無線端末２における「ダウンリンク受信品質情報」の送信処理について説明する。
【００８２】
ＤＬ受信品質測定部２１１では、ダウンリンク物理チャネルの受信品質情報（たとえば、ブロック誤り率や信号電力対干渉電力の比率など）を常時計測し、その結果を「ダウンリンク受信品質情報」として周期的に制御データ送信タイミング判定部２０６ａと制御用ＵＬ共通チャネル送信制御部２０５ａに通知する。
【００８３】
制御用ＵＬ共通チャネル送信制御部２０５ａでは、受け取った「ダウンリンク受信品質情報」を制御用アップリンク共通チャネルにマッピングし、無線回線インタフェース部２０２，アンテナ２０３を介して無線基地局１へ送信する。
【００８４】
つぎに、無線基地局１における「再送要求スケジュール情報」の生成処理について説明する。
【００８５】
制御用ＵＬ共通チャネル受信制御部１０９ａでは、複数の無線端末２から制御用アップリンク共通チャネルで受信した「ダウンリンク受信品質情報」を再送制御部１０７ａに通知する。
【００８６】
再送制御部１０７ａでは、受け取った「ダウンリンク受信品質情報」を受信品質順に並べ替え、複数の無線端末２を「ダウンリンク受信品質情報」にしたがって複数のクラスに分ける。なお、クラス数Ｃｎは、イニシャルパラメータなどで別途定められているものとする。本実施の形態では、クラス数Ｃｎを４クラスとし、品質がよい順にクラス１，クラス２，クラス３，クラス４とする。
【００８７】
また、再送制御部１０７ａでは、品質順に並べ替えた無線端末２が各クラスに特定の比率で分配されるように、「ダウンリンク受信品質情報」のしきい値を設定する。なお、各クラスの分配比率もクラス数と同様に、イニシャルパラメータなどで別途定められているものとする。本実施の形態では、たとえば、クラス１：クラス２：クラス３：クラス４＝４：３：２：１の比率で分配されるように、しきい値を設定し、クラス１とクラス２，クラス２とクラス３，クラス３とクラス４のしきい値をそれぞれＴＨ１，ＴＨ２，ＴＨ３とする。図１１は、各クラスの分配比率としきい値を示す図である。
【００８８】
また、再送制御部１０７ａでは、クラス毎に「データ再送要求情報」を送信可能なタイミングを示す「再送要求スケジュール情報」を生成する。クラス毎の再送要求スケジュールは、制御用アップリンクフレーム番号ＦＮに対する、以下の（３）式〜（６）式に示すモジュロ演算により計算する。なお、除数Ｍ１等は、クラス数Ｃｎやクラス毎の分配比率や各しきい値などを勘案して決定する。
【００８９】
クラス１（ＦＮ１１〜ＦＮ１ｍ）
ＦＮ１１ ＝ ＦＮ ｍｏｄ Ｍ１                            …（３）
ＦＮ１ｍ ＝ ＦＮ ｍｏｄ Ｍ１（１≦ｍ≦Ｍ１）            …（４）
クラス２（ＦＮ２１〜ＦＮ２ｎ）
ＦＮ２１ ＝ ＦＮ ｍｏｄ Ｍ２                            …（５）
ＦＮ２ｎ ＝ ＦＮ ｍｏｄ Ｍ２  （１≦ｎ≦Ｍ２）          …（６）
クラス３およびクラス４に対しても、同様に、再送要求スケジュールを計算する。
【００９０】
図１２は、「データ再送要求情報」を送信可能なタイミングを示す図である。本実施の形態では、たとえば、図１２に○印で示すように、各クラスに「データ再送要求情報」を送信可能なタイミングを割り当てる。すなわち、各パラメータを、以下のように設定する。
Ｍ１＝Ｍ２＝Ｍ３＝Ｍ４＝８、
Ｆ１１＝０，Ｆ１２＝４
Ｆ２１＝２，Ｆ２２＝６
Ｆ３１＝１，Ｆ３２＝３，Ｆ３３＝５，Ｆ３４＝７
Ｆ４１＝０，Ｆ４２＝１，Ｆ４３＝２，Ｆ４４＝３，Ｆ４５＝４，Ｆ４６＝５，
Ｆ４７＝６，Ｆ４８＝７
【００９１】
再送制御部１０７ａでは、このように計算した再送要求スケジュールを、「再送要求スケジュール情報」にまとめ、制御用ＤＬ共通チャネル送信制御部１０８ａを介して各無線端末２へ送信する。図１３は、実施の形態４の再送要求スケジュール情報を示す図である。図１３において、３００は再送要求スケジュール情報であり、３００−１はしきい値情報であり、３００−２１〜３００−２Ｃｎは各クラスに対応する再送要求スケジュール情報である。
【００９２】
つぎに、無線端末２における「再送要求スケジュール情報」の受信処理について説明する。
【００９３】
制御データ送信タイミング判定部２０６ａでは、制御用ＤＬ共通チャネル受信制御部２０８ａから「再送要求スケジュール情報」３００を通知されると、ＤＬ受信品質測定部２１１から通知されているダウンリンク物理チャネルの受信品質情報と「再送要求スケジュール情報」３００のしきい値情報３００−１を比較し、自無線端末２が属するクラスを判定する。そして、「再送要求スケジュール情報」３００から、自無線端末２が属するクラスに対応する再送要求スケジュール情報（クラス１の場合は３００−２１）を取得し、記憶する。その後、上記（３）式〜（６）式を用いて自無線端末２が「データ再送要求情報」を送信可能なタイミングを算出し、記憶している再送要求スケジュール情報（クラス１の場合は３００−２１のＦ１１等）と一致した場合に、送信許可を再送要求作成部２０４に対して通知する。
【００９４】
なお、その後の動作は、先に説明した実施の形態２と同様である。また、図１３におけるＰａｔｔは、本実施の形態用の「再送要求スケジュール情報」３００か、後述する実施の形態５用の「再送要求スケジュール情報」３００ａか、を区別する識別子である。
【００９５】
このように、本実施の形態においては、さらに、無線基地局１が、受信品質の状態に応じて各無線端末を複数のクラスに分配し、各クラスに属する無線端末毎に、「データ再送要求情報」の送信可能タイミングをスケジューリングする構成とした。これにより、前述の実施の形態１または２と同様の効果が得られるとともに、さらに、受信品質が悪い無線端末２のクラス、すなわち、データ再送要求が多い無線端末２のクラスに対して、「データ再送要求情報」を送信可能なタイミングをより多く割り当てるなど、無線回線の状態に応じたスケジューリングが設定できる。また、各無線端末のクラス分けを受信品質の状態に応じてダイナミックに変更できるため、データ再送処理を効率的に実施できる。
【００９６】
実施の形態５．
図１４は、実施の形態５の再送要求スケジュール情報を示す図である。図１４において、３００ａは再送要求スケジュール情報であり、３００ａ−１はしきい値情報であり、３００ａ−０１〜３００ａ−０ｋ，３００ａ−２１〜３００ａ−２Ｃｎは個別の再送要求スケジュール情報である。なお、無線基地局１および無線端末２の構成については、前述の実施の形態４の図９および図１０と同様である。ここでは、前述の実施の形態４と異なる動作についてのみ説明する。
【００９７】
無線基地局１の再送制御部１０７ａでは、前述の実施の形態４と同様に、複数の無線端末２を「ダウンリンク受信品質情報」にしたがって複数のクラスに分け、さらに、図１４に示すように、クラス毎に「データ再送要求情報」の送信可能タイミングを示す「再送要求スケジュール情報」を生成する。
【００９８】
このとき、再送制御部１０７ａでは、複数（図１４の例ではｋ個）の特定の無線端末２について、「データ再送要求情報」を送信するタイミングを別途指定する再送要求スケジュール情報３００ａ−０１等を生成する。本実施の形態では、たとえば、クラス３に属する無線端末２（図１１では、ＭＴ８，ＭＴ９）に対して、以下のように、個別に再送要求スケジュール情報３００ａ−０を設定する。Ｎ＝２
ＭMT8＝ＭMT9＝８
ＦMT8１＝１，ＦMT8２＝５
ＦMT9１＝３，ＦMT9２＝７
【００９９】
再送制御部１０７ａでは、このように生成した「再送要求スケジュール情報」３００ａを、制御用ＤＬ共通チャネル送信制御部１０８ａを介して各無線端末２へ送信する。
【０１００】
ここで、無線端末２における「再送要求スケジュール情報」３００ａの受信処理について説明する。
【０１０１】
制御データ送信タイミング判定部２０６ａでは、制御用ＤＬ共通チャネル受信制御部２０８ａから「再送要求スケジュール情報」３００ａを通知されると、無線端末２毎の再送要求スケジュール情報３００ａ−０ｚ（１≦ｚ≦ｋ）に設定されている識別子ＴＭＳＩと自無線端末２の識別子とを比較し、再送要求スケジュール情報３００ａ−０ｚ（１≦ｚ≦ｋ）に自無線端末２宛の再送要求スケジュール情報３００ａ−０が含まれているか否かを判定する。
【０１０２】
たとえば、自無線端末２宛の再送要求スケジュール情報３００ａ−０が含まれている場合（本実施の形態では無線端末２のＭＴ８とＭＴ９）、制御データ送信タイミング判定部２０６ａでは、自無線端末２用の再送要求スケジュール情報３００ａ−０ｚ（１≦ｚ≦ｋ）にしたがって、「データ再送要求情報」を送信する。一方、自無線端末２宛の再送要求スケジュール情報３００ａ−０が含まれていない場合は、前述の実施の形態４と同様に、ＤＬ受信品質測定部２１１から通知されているダウンリンク物理チャネルの受信品質情報と「再送要求スケジュール情報」３００ａのしきい値情報（３００ａ−１）とを比較する。そして、自無線端末２が属するクラスに対応する再送要求スケジュール情報（クラス１の場合は３００ａ―２１）を取得する。なお、その後の動作については、前述の実施の形態４と同様である。
【０１０３】
このように、本実施の形態においては、さらに、無線端末を特定して「再送要求スケジュール情報」を作成し、受信品質が悪い複数の無線端末２、すなわち、データ再送要求が多い複数の無線端末２、が同時に「データ再送要求情報」を制御用アップリンク共通チャネル上に送信しないようにスケジューリングする構成とした。これにより、前述の実施の形態１、２または４と同様の効果が得られるとともに、無線基地局１に対する無駄な「データ再送要求情報」の送信を防止できる。また、データ再送処理を効率的に実施することができる。
【０１０４】
実施の形態６．
図１５は、無線基地局１の実施の形態６の構成を示す図である。図１５において、１０５ｂはデータ用ＤＬ共通チャネル送信制御部であり、１０７ｂは再送制御部であり、１０８ｂは制御用ＤＬ共通チャネル送信制御部であり、１０９ｂは制御用ＵＬ共通チャネル受信制御部である。なお、先に説明した実施の形態１または４と同様の構成については、同一の符号を付してその説明を省略する。
【０１０５】
図１６は、無線端末２の実施の形態６の構成を示す図である。図１６において、２０４ｂは再送要求作成部であり、２０９ｂはデータ用ＤＬ共通チャネル受信制御部である。なお、先に説明した実施の形態１または４と同様の構成については、同一の符号を付してその説明を省略する。
【０１０６】
また、図１７は、制御用アップリンク共通チャネルとデータ用ダウンリンク共通チャネルにおける「データ再送要求情報」のマッピング（送受信）のタイミングの一例を示す図である。図１７において、ＤＬBＳＮは、無線基地局１がデータ用ダウンリンク共通チャネル上に送信するマルチキャストデータブロックのシーケンス番号を示し、ＤＬM1ＳＮ，ＤＬM2ＳＮ は、それぞれ無線端末２（Ｍ１，Ｍ２）がデータ用ダウンリンク共通チャネルから受信するマルチキャストデータブロックのシーケンス番号を示している。また、ＵＬM1，ＵＬM2は、それぞれ無線端末２（Ｍ１，Ｍ２）が制御用アップリンク共通チャネル上に送信する制御データを示し、Ｎ34は、シーケンス番号３と４のデータブロックの再送を要求する「データ再送要求情報」を示し、Ｌ34は、シーケンス番号３と４のデータブロックの再送を通知する「データ再送要求情報」を示している。
【０１０７】
無線基地局１の再送制御部１０７ｂでは、制御用ＵＬ共通チャネル受信制御部１０９ｂから受け取った「データ再送要求情報」を再送データに付加して、データ用ＤＬ共通チャネル送信制御部１０５ｂへ通知する。そして、データ用ＤＬ共通チャネル送信制御部１０５ｂでは、「データ再送要求情報」Ｌ34と再送データを、図１７に示すように、データ用ダウンリンク共通チャネルにマッピングして送信する。
【０１０８】
無線端末２のデータ用ＤＬ共通チャネル受信制御部２０９ｂでは、「データ再送要求情報」を受信すると、当該情報を再送要求作成部２０４ｂに通知する。なお、その後の動作については、実施の形態２または４と同様である。
【０１０９】
また、無線基地局１の再送制御部１０７ｂでは、制御用ＵＬ共通チャネル受信制御部１０９ｂから受け取った「データ再送要求情報」に、ある一定数以上のデータの再送要求が含まれる場合、「データ再送要求情報」を再送データに付加し、データ用ＤＬ共通チャネル送信制御部１０５ｂへ通知することとしてもよい。
【０１１０】
このように、本実施の形態においては、本実施の形態においては、各無線端末２および無線基地局１間の「データ再送要求情報」の送受信に制御用の共通チャネルを使用し、無線端末２が、「データ再送要求情報」と受け取ったマルチキャストデータのシーケンス番号とを比較し、無線基地局１が既に再送要求を受け付けたマルチキャストデータについて再送要求を行わないようにした。これにより、たとえば、無線端末２の数が増加した場合においても、無線基地局１における処理の負荷を大幅に低減することができる。
【０１１１】
実施の形態７．
図１８は、無線基地局１の実施の形態７の構成を示す図である。図１８において、１２０は制御用ＵＬ個別チャネル受信制御部である。なお、先に説明した実施の形態１または４と同様の構成については、同一の符号を付してその説明を省略する。
【０１１２】
図１９は、無線端末２の実施の形態７の構成を示す図である。図１９において、２２０は制御用ＵＬ個別チャネル送信制御部である。なお、先に説明した実施の形態１または４と同様の構成については、同一の符号を付してその説明を省略する。
【０１１３】
ここで、無線基地局１における制御用アップリンク個別チャネルの処理について説明する。制御用ＵＬ個別チャネル受信制御部１２０では、無線回線インタフェース部１０２を介して同時に受け取った複数の無線端末２からの「データ再送要求情報」をマージし、複数の無線端末２に送信する「データ再送要求情報」を作成する。そして、この「データ再送要求情報」を再送制御部１０７ａおよび制御用ＤＬ共通チャネル送信制御部１０８ａに通知する。
【０１１４】
つぎに、無線端末２における制御用アップリンク個別チャネルへの「データ再送要求情報」および「ダウンリンク受信品質情報」の送信処理について説明する。再送要求作成部２０４では、制御データ送信タイミング判定部２０６ａから送信許可が通知された場合に、データ受信制御部２０７から再送要求が通知されているかどうかのチェックを行い、送信すべき「データ再送要求情報」を作成する。そして、その「データ再送要求情報」を制御用ＵＬ個別チャネル送信制御部２２０に対して通知する。
【０１１５】
制御用ＵＬ個別チャネル送信制御部２２０では、受け取った「データ再送要求情報」を制御用アップリンク個別チャネル上にマッピングし、無線回線インタフェース部２０２およびアンテナ２０３を介して無線基地局１に対して送信する。
【０１１６】
ＤＬ受信品質測定部２１１では、作成した「ダウンリンク受信品質情報」を周期的に制御データ送信タイミング判定部２０６ａと制御用ＵＬ個別チャネル送信制御部２２０に通知する。そして、制御用ＵＬ個別チャネル送信制御部２２０では、受け取った「ダウンリンク受信品質情報」を制御用アップリンク個別チャネル上にマッピングし、無線回線インタフェース部２０２およびアンテナ２０３を介して無線基地局１に対して送信する。その他の無線基地局１および無線端末２の動作については、実施の形態１、２、４または５と同様である。
【０１１７】
このように、本実施の形態においては、さらに、無線端末からの「データ再送要求情報」の送信を無線端末毎の個別チャネルを使用し、同時に複数の無線端末からの「データ再送要求情報」を受信し、それらをマージした「データ再送要求情報」を複数の無線端末に対して送信する構成とした。これにより、前述の実施の形態１、２または４と同様の効果が得られるとともに、他の無線端末から無線基地局１への無駄な「データ再送要求情報」の送信を防止できる。また、データ再送処理を効率的に実施することができる。
【０１１８】
【発明の効果】
以上、説明したとおり、本発明によれば、従来のように、無線基地局が各グループの代表局に対してポーリングによる送達確認を行うのではなく、無線端末が受信を確認できなかったデータがある場合にのみ再送要求を行うようにしたため、送達確認処理の時間を大幅に削減可能な無線通信システムを得ることができる、という効果を奏する。また、無線端末が移動している場合においても、従来のように、代表局からポーリングの応答を受信する必要がないため、何ら特別の処理を実施することなく、データ再送要求の処理負荷を低減することが可能な無線通信システムを得ることができる、という効果を奏する。
【０１１９】
つぎの発明によれば、各無線端末および無線基地局間の「データ再送要求情報」の送受信に制御用の共通チャネルを使用し、無線端末が、「データ再送要求情報」と受け取ったマルチキャストデータのシーケンス番号とを比較し、無線基地局で再送要求が受け付けられたマルチキャストデータについては再送要求を行わないようにした。これにより、たとえば、無線端末の数が増加した場合においても、無線基地局における処理の負荷を大幅に低減することが可能な無線通信システムを得ることができる、という効果を奏する。
【０１２０】
つぎの発明によれば、さらに、無線端末をグループ化し、再送要求の送信タイミングをグループ毎に異なるようにしたことで、たとえば、無線端末の数が増加した場合においても、無線基地局にて受信するデータ再送要求の数を最小限に抑えることができ、無線基地局における処理の負荷をさらに低減することが可能な無線通信システムを得ることができる、という効果を奏する。
【０１２１】
つぎの発明によれば、さらに、予め規定された通信品質（基準ブロック誤り率）を満足するような一定のデータの欠落に対して、データの再送要求を送信しないようにしたことで、たとえば、無線端末の数が増加した場合においても、無線基地局で受信するデータ再送要求の数をより低く抑えることができ、無線基地局における処理の負荷をさらに大幅に低減することが可能な無線通信システムを得ることができる、という効果を奏する。
【０１２２】
つぎの発明によれば、無線端末が移動している場合においても、従来のように、代表局からポーリングの応答を受信する必要がないため、何ら特別の処理を実施することなく、データ再送要求の処理負荷を低減することが可能な無線基地局を得ることができる、という効果を奏する。
【０１２３】
つぎの発明によれば、従来のように、無線基地局が各グループの代表局に対してポーリングによる送達確認を行うのではなく、無線端末が受信を確認できなかったデータがある場合にのみ再送要求を行うようにしたため、送達確認処理の時間を大幅に削減可能な無線端末を得ることができる、という効果を奏する。
【０１２４】
つぎの発明によれば、各無線端末および無線基地局間の「データ再送要求情報」の送受信に制御用の共通チャネルを使用し、無線端末が、「データ再送要求情報」と受け取ったマルチキャストデータのシーケンス番号とを比較し、無線基地局で再送要求が受け付けられたマルチキャストデータについては再送要求を行わないようにした。これにより、たとえば、無線端末の数が増加した場合においても、無線基地局における処理の負荷を大幅に低減させることが可能な無線端末を得ることができる、という効果を奏する。
【０１２５】
つぎの発明によれば、無線端末をグループ化し、再送要求の送信タイミングをグループ毎に異なるようにした。これにより、たとえば、無線端末の数が増加した場合においても、無線基地局にて受信するデータ再送要求の数を最小限に抑えることができ、無線基地局における処理の負荷をさらに低減させることが可能な無線端末を得ることができる、という効果を奏する。
【０１２６】
つぎの発明によれば、予め規定された通信品質（基準ブロック誤り率）を満足するような一定のデータの欠落に対して、データの再送要求を送信しないようにした。これにより、たとえば、無線端末の数が増加した場合においても、無線基地局で受信するデータ再送要求の数をより低く抑えることができ、無線基地局における処理の負荷をさらに大幅に低減させることが可能な無線端末を得ることができる、という効果を奏する。
【０１２７】
つぎの発明によれば、従来のように、無線基地局が各グループの代表局に対してポーリングによる送達確認を行うのではなく、無線端末が受信を確認できなかったデータがある場合にのみ再送要求を行うようにしたため、送達確認処理の時間を大幅に削減できる、という効果を奏する。また、無線端末が移動している場合においても、従来のように、代表局からポーリングの応答を受信する必要がないため、何ら特別の処理を実施することなく、データ再送要求の処理負荷を低減することができる、という効果を奏する。
【０１２８】
つぎの発明によれば、各無線端末および無線基地局間の「データ再送要求情報」の送受信に制御用の共通チャネルを使用し、無線端末が、「データ再送要求情報」と受け取ったマルチキャストデータのシーケンス番号とを比較し、無線基地局で再送要求が受け付けられたマルチキャストデータについては再送要求を行わないようにした。これにより、たとえば、無線端末の数が増加した場合においても、無線基地局における処理の負荷を大幅に低減することができる、という効果を奏する。
【０１２９】
つぎの発明によれば、さらに、無線端末をグループ化し、再送要求の送信タイミングをグループ毎に異なるようにしたことで、たとえば、無線端末の数が増加した場合においても、無線基地局にて受信するデータ再送要求の数を最小限に抑えることができ、無線基地局における処理の負荷をさらに低減できる、という効果を奏する。
【０１３０】
つぎの発明によれば、さらに、予め規定された通信品質（基準ブロック誤り率）を満足するような一定のデータの欠落に対して、データの再送要求を送信しないようにしたことで、たとえば、無線端末の数が増加した場合においても、無線基地局で受信するデータ再送要求の数をより低く抑えることができ、無線基地局における処理の負荷をさらに大幅に低減できる、という効果を奏する。
【０１３１】
つぎの発明よれば、さらに、無線基地局が、受信品質の状態に応じて各無線端末を複数のクラスに分配し、各クラスに属する無線端末毎に、「データ再送要求情報」の送信可能タイミングをスケジューリングする構成とした。これにより、データ再送要求が多い無線端末のクラスに対して、「データ再送要求情報」を送信可能なタイミングをより多く割り当てるなど、無線回線の状態に応じたスケジューリングを設定可能な無線通信システムを得ることができる、という効果を奏する。また、各無線端末のクラス分けを受信品質の状態に応じてダイナミックに変更できるため、データ再送処理を効率的に実施可能な無線通信システムを得ることができる、という効果を奏する。
【０１３２】
つぎの発明によれば、無線基地局から受け取る「再送要求スケジュール情報」に基づいて再送を要求するかどうかを判定する構成としたため、さらに、データ再送処理を効率的に実施可能な無線通信システムを得ることができる、という効果を奏する。
【０１３３】
つぎの発明によれば、さらに、無線端末を特定して「再送要求スケジュール情報」を作成し、データ再送要求が多い複数の無線端末が同時に「データ再送要求情報」を制御用アップリンク共通チャネル上に送信しないようにスケジューリングする構成とした。これにより、無線基地局に対する無駄な「データ再送要求情報」の送信を防止可能な無線通信システムを得ることができる、という効果を奏する。また、データ再送処理を効率的に実施可能な無線通信システムを得ることができる、という効果を奏する。
【０１３４】
つぎの発明によれば、さらに、無線基地局が、通知された一つまたは複数の「データ再送要求情報」を再送データの送信に先立ちデータ用ダウンリンク共通チャネル上にマッピングし、無線端末が、データ用ダウンリンク共通チャネル上の「データ再送要求情報」を抽出し、当該情報に含まれるシーケンス番号を検出する構成とした。これにより、無線端末の数が増加した場合においても、無線基地局における処理の負荷をさらに低減することが可能な無線通信システムを得ることができる、という効果を奏する。
【０１３５】
つぎの発明によれば、さらに、無線端末からの「データ再送要求情報」の送信に無線端末毎の個別チャネルを使用し、同時に複数の無線端末からの「データ再送要求情報」を受信し、それらをマージした「データ再送要求情報」を複数の無線端末に対して送信する構成とした。これにより、他の無線端末から無線基地局への無駄な「データ再送要求情報」の送信を防止可能な無線通信システムを得ることができる、という効果を奏する。また、データ再送処理を効率的に実施することが可能な無線通信システムを得ることができる、という効果を奏する。
【０１３６】
つぎの発明によれば、さらに、無線基地局が、受信品質の状態に応じて各無線端末を複数のクラスに分配し、各クラスに属する無線端末毎に、「データ再送要求情報」の送信可能タイミングをスケジューリングする構成とした。これにより、データ再送要求が多い無線端末のクラスに対して、「データ再送要求情報」を送信可能なタイミングをより多く割り当てるなど、無線回線の状態に応じたスケジューリングを設定可能な無線基地局を得ることができる、という効果を奏する。また、各無線端末のクラス分けを受信品質の状態に応じてダイナミックに変更可能な無線基地局を得ることができる、という効果を奏する。
【０１３７】
つぎの発明によれば、データ再送要求が多い複数の無線端末が同時に「データ再送要求情報」を制御用アップリンク共通チャネル上に送信しないようにスケジューリングする構成とした。これにより、無駄な「データ再送要求情報」の送信を防止させることが可能な無線基地局を得ることができる、という効果を奏する。また、データ再送処理を効率的に実施可能な無線基地局を得ることができる、という効果を奏する。
【０１３８】
つぎの発明によれば、無線基地局が、通知された一つまたは複数の「データ再送要求情報」を再送データの送信に先立ちデータ用ダウンリンク共通チャネル上にマッピングする構成とした。これにより、無線端末の数が増加した場合においても、処理の負荷をさらに低減することが可能な無線基地局を得ることができる、という効果を奏する。
【０１３９】
つぎの発明によれば、無線端末からの「データ再送要求情報」の送信に無線端末毎の個別チャネルを使用し、同時に複数の無線端末からの「データ再送要求情報」を受信し、それらをマージした「データ再送要求情報」を複数の無線端末に対して送信する構成とした。これにより、無駄な「データ再送要求情報」の送信を防止可能な無線基地局を得ることができる、という効果を奏する。また、データ再送処理を効率的に実施することが可能な無線基地局を得ることができる、という効果を奏する。
【０１４０】
つぎの発明によれば、データ再送要求が多いクラスに対して、「データ再送要求情報」の送信可能タイミングをより多く割り当てることが可能な無線端末を得ることができる、という効果を奏する。また、クラス分けを受信品質の状態に応じてダイナミックに変更可能な無線端末を得ることができる、という効果を奏する。
【０１４１】
つぎの発明によれば、無線基地局から受け取る「再送要求スケジュール情報」に基づいて再送を要求するかどうかを判定する構成としたため、さらに、データ再送処理を効率的に実施可能な無線端末を得ることができる、という効果を奏する。
【０１４２】
つぎの発明によれば、無線端末が、データ用ダウンリンク共通チャネル上の「データ再送要求情報」を抽出し、当該情報に含まれるシーケンス番号を検出する構成とした。これにより、無線端末の数が増加した場合に、無線基地局における処理の負荷をさらに低減させることが可能な無線端末を得ることができる、という効果を奏する。
【０１４３】
つぎの発明によれば、無線端末が、「データ再送要求情報」の送信に端末毎の個別チャネルを使用し、無線基地局が、同時に複数の無線端末からの「データ再送要求情報」を受信し、それらをマージした「データ再送要求情報」を複数の無線端末に対して送信する構成とした。これにより、無駄な「データ再送要求情報」の送信を防止可能な無線端末を得ることができる、という効果を奏する。また、データ再送処理を効率的に実施することが可能な無線端末を得ることができる、という効果を奏する。
【０１４４】
つぎの発明によれば、さらに、無線基地局が、受信品質の状態に応じて各無線端末を複数のクラスに分配し、各クラスに属する無線端末毎に、「データ再送要求情報」の送信可能タイミングをスケジューリングすることとした。これにより、データ再送要求が多い無線端末のクラスに対して、「データ再送要求情報」を送信可能なタイミングをより多く割り当てるなど、無線回線の状態に応じたスケジューリングを設定できる、という効果を奏する。また、各無線端末のクラス分けを受信品質の状態に応じてダイナミックに変更できるため、データ再送処理を効率的に実施できる、という効果を奏する。
【０１４５】
つぎの発明によれば、無線基地局から受け取る「再送要求スケジュール情報」に基づいて再送を要求するかどうかを判定することとしたため、さらに、データ再送処理を効率的に実施できる、という効果を奏する。
【０１４６】
つぎの発明によれば、さらに、無線端末を特定して「再送要求スケジュール情報」を作成し、データ再送要求が多い複数の無線端末が同時に「データ再送要求情報」を制御用アップリンク共通チャネル上に送信しないようにスケジューリングすることとした。これにより、無線基地局に対する無駄な「データ再送要求情報」の送信を防止できる、という効果を奏する。また、データ再送処理を効率的に実施できる、という効果を奏する。
【０１４７】
つぎの発明によれば、さらに、無線基地局が、通知された一つまたは複数の「データ再送要求情報」を再送データの送信に先立ちデータ用ダウンリンク共通チャネル上にマッピングし、無線端末が、データ用ダウンリンク共通チャネル上の「データ再送要求情報」を抽出し、当該情報に含まれるシーケンス番号を検出することとした。これにより、無線端末の数が増加した場合においても、無線基地局における処理の負荷をさらに低減できる、という効果を奏する。
【０１４８】
つぎの発明によれば、さらに、無線端末からの「データ再送要求情報」の送信に無線端末毎の個別チャネルを使用し、同時に複数の無線端末からの「データ再送要求情報」を受信し、それらをマージした「データ再送要求情報」を複数の無線端末に対して送信することとした。これにより、他の無線端末から無線基地局への無駄な「データ再送要求情報」の送信を防止できる、という効果を奏する。また、データ再送処理を効率的に実施できる、という効果を奏する。
【図面の簡単な説明】
【図１】  本発明にかかる無線通信システムの構成を示す図である。
【図２】  無線基地局の構成を示す図である。
【図３】  無線端末の構成を示す図である。
【図４】  「データ再送要求情報」の具体例を示す図である。
【図５】  制御用アップリンク共通チャネルと制御用ダウンリンク共通チャネルにおける「データ再送要求情報」のマッピングのタイミングを示す図である。
【図６】  無線端末内の再送要求作成部の実施の形態１の処理フローを示す図である。
【図７】  無線端末内の再送要求作成部の実施の形態２の処理フローを示す図である。
【図８】  無線端末内のデータ受信制御部の処理フローを示す図である。
【図９】  無線基地局１の実施の形態４の構成を示す図である。
【図１０】  無線端末２の実施の形態４の構成を示す図である。
【図１１】  各クラスの分配比率としきい値を示す図である。
【図１２】  「データ再送要求情報」を送信可能なタイミングを示す図である。
【図１３】  実施の形態４の再送要求スケジュール情報を示す図である。
【図１４】  実施の形態５の再送要求スケジュール情報を示す図である。
【図１５】  無線基地局１の実施の形態６の構成を示す図である。
【図１６】  無線端末２の実施の形態６の構成を示す図である。
【図１７】  制御用アップリンク共通チャネルとデータ用ダウンリンク共通チャネルにおける「データ再送要求情報」のマッピングのタイミングの一例を示す図である。
【図１８】  無線基地局１の実施の形態７の構成を示す図である。
【図１９】  無線端末２の実施の形態７の構成を示す図である。
【図２０】  従来の無線通信システムの具体的な動作を示す図である。
【符号の説明】
１  無線基地局、２  無線端末、３  有線ネットワーク、１０１  有線回線インタフェース部、１０２  無線回線インタフェース部、１０３  アンテナ、１０４，１０４ａ  データ送信制御部、１０５，１０５ａ，１０５ｂ  データ用ＤＬ共通チャネル送信制御部、１０６  ダウンリンク送信制御部、１０７，１０７ａ再送制御部、１０８，１０８ａ，１０８ｂ  制御用ＤＬ共通チャネル送信制御部、１０９，１０９ａ，１０９ｂ  制御用ＵＬ共通チャネル受信制御部、１２０制御用ＵＬ個別チャネル受信制御部、２０１  上位プロトコル処理部、２０２無線回線インタフェース部、２０３  アンテナ、２０４，２０４ｂ  再送要求作成部、２０５，２０５ａ  制御用ＵＬ共通チャネル送信制御部、２０６，２０６ａ  制御データ送信タイミング判定部、２０７  データ受信制御部、２０８，２０８ａ  制御用ＤＬ共通チャネル受信制御部、２０９，２０９ｂ  データ用ＤＬ共通チャネル受信制御部、２１０  ダウンリンク受信制御部、２１１  ＤＬ受信品質測定部、２２０  制御用ＵＬ個別チャネル送信制御部。
【図１】
0003831202.tif 000002
【図２】
0003831202.tif 000003
【図３】
0003831202.tif 000004
【図４】
0003831202.tif 000005
【図５】
0003831202.tif 000006
【図６】
0003831202.tif 000007
【図７】
0003831202.tif 000008
【図８】
0003831202.tif 000009
【図９】
0003831202.tif 000010
【図１０】
0003831202.tif 000011
【図１１】
0003831202.tif 000012
【図１２】
0003831202.tif 000013
【図１３】
0003831202.tif 000014
【図１４】
0003831202.tif 000015
【図１５】
0003831202.tif 000016
【図１６】
0003831202.tif 000017
【図１７】
0003831202.tif 000018
【図１８】
0003831202.tif 000019
【図１９】
0003831202.tif 000020
【図２０】
0003831202.tif 000021